【手続補正書】
【提出日】平成17年1月20日(2005.1.20)
【手続補正１】
【補正対象書類名】明細書
【補正対象項目名】発明の名称
【補正方法】変更
【補正の内容】
【発明の名称】カラーフィルタ基板、電気光学装置及び電子機器
【手続補正２】
【補正対象書類名】明細書
【補正対象項目名】特許請求の範囲
【補正方法】変更
【補正の内容】
【特許請求の範囲】
【請求項１】
透過部と反射部とが規定されたカラーフィルタ基板において、
各々色が異なる、少なくとも第１、第２及び第３の着色層を有し、
各前記着色層は、第１部分及び第２部分を含み、
各前記着色層の前記第１部分は、対応する前記透過部に平面的に重なるように配設され、
各前記着色層の前記第２部分は、対応する前記反射部に平面的に重なるように配設され、
Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、各前記着色層の前記第２部分の前記色度座標を頂点とする三角形の面積の１．１倍以上６．０倍以下であることを特徴とするカラーフィルタ基板。
【請求項２】
透過部と反射部とが規定されたカラーフィルタ基板において、
各々色が異なる少なくとも第１、第２及び第３の着色層を有し、
各前記着色層は、第１部分及び第２部分を含み、
各前記着色層の前記第１部分は、対応する前記透過部に平面的に重なるように配設され、
各前記着色層の前記第２部分は、対応する前記反射部に平面的に重なるように配設され、
Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、ＮＴＳＣ受像３原色を頂点とする三角形の面積の０．２５倍以上０．３８倍以下であり、各前記着色層の前記第２部分の前記色度座標を頂点とする三角形の面積は、ＮＴＳＣ受像３原色を頂点とする三角形の面積の０．０６倍以上０．１３倍以下であることを特徴とするカラーフィルタ基板。
【請求項３】
透過部と反射部とが規定されたカラーフィルタ基板において、
第１部分及び第２部分を含む着色層を有し、
前記着色層は、５００ｎｍ＜波長λ＜６００ｎｍにおいて透過率のピークを有し、
各前記着色層の前記第１部分は、対応する前記透過部に平面的に重なるように配設され、
各前記着色層の前記第２部分は、対応する前記反射部に平面的に重なるように配設され、
Ｃ光源を用いて前記第１部分及び前記第２部分のそれぞれに対して光を一回通過させてそれぞれの分光透過率曲線を描いた場合に、可視光域において前記分光透過率曲線の各々に対して下限値からピーク値の半値に対応する半値幅を求めると、
前記第１部分に対応する前記半値幅は、１１０ｎｍ〜１２５ｎｍであり、
前記第２部分に対応する前記半値幅は、１３５ｎｍ〜１５０ｎｍであることを特徴とするカラーフィルタ基板。
【請求項４】
透過部と反射部とが規定されたカラーフィルタ基板において、
各々色が異なる、少なくとも第１、第２及び第３の着色層を有し、
各前記着色層は、第１部分及び第２部分を含み、
各前記着色層の前記第１部分は、対応する前記透過部に平面的に重なり、
各前記着色層の前記第２部分は、対応する前記反射部に平面的に重なり、
Ｃ光源を用いて各前記着色層に光を一回通過させて、前記着色層の色度座標を算出し、ＣＩＥ１９３１色度図上にプロットした場合に、
前記第１の着色層の前記第１部分の色度座標は、ｘ１＝０．５４、ｙ１＝０．３４とし、
（ｘ−ｘ１）２＋（ｙ−ｙ１）２≦（０．０５）２で表される領域に位置し、
前記第２の着色層の前記第１部分の色度座標は、ｘ２＝０．３１、ｙ２＝０．４９とし、
（ｘ−ｘ２）２＋（ｙ−ｙ２）２≦（０．０５）２で表される領域に位置し、
前記第３の着色層の前記第１部分の色度座標は、ｘ３＝０．１５、ｙ３＝０．１９とし、
（ｘ−ｘ３）２＋（ｙ−ｙ３）２≦（０．０５）２で表される領域に位置し、
前記第１の着色層の前記第２部分の色度座標は、ｘ１＝０．４２、ｙ１＝０．３０とし、
（ｘ−ｘ１）２＋（ｙ−ｙ１）２≦（０．０５）２で表される領域に位置し、
前記第２の着色層の前記第２部分の色度座標は、ｘ２＝０．３１、ｙ２＝０．３５とし、
（ｘ−ｘ２）２＋（ｙ−ｙ２）２≦（０．０５）２で表される領域に位置し、
前記第３の着色層の前記第２部分の色度座標は、ｘ３＝０．２０、ｙ３＝０．２４とし、
（ｘ−ｘ３）２＋（ｙ−ｙ３）２≦（０．０５）２で表される領域に位置することを特徴とするカラーフィルタ基板。
【請求項５】
透過部と反射部とが規定されたカラーフィルタ基板において、
第１部分及び第２部分を含む着色層を有し、
前記着色層は、波長λ＞６００ｎｍにおいて透過率のピークを有し、
前記着色層の前記第１部分は、対応する前記透過部に平面的に重なるように配設され、
前記着色層の前記第２部分は、対応する前記反射部に平面的に重なるように配設され、
Ｃ光源を用いて前記第１部分及び前記第２部分のそれぞれに対して光を一回通過させてそれぞれの分光透過率曲線を描いた場合に、４００ｎｍ≦波長λ≦６００ｎｍにおいて前記分光透過率曲線の各々の積分値を求めると、前記第２部分に対応する前記積分値は、前記第１部分に対応する前記積分値よりも大きいことを特徴とするカラーフィルタ基板。
【請求項６】
透過部と反射部とが規定されたカラーフィルタ基板において、
第１部分及び第２部分を含む着色層を有し、
前記着色層は、５００ｎｍ＜波長λ＜６００ｎｍにおいて透過率のピークを有し、
前記着色層の前記第１部分は、対応する前記透過部に平面的に重なるように配設され、
前記着色層の前記第２部分は、対応する前記反射部に平面的に重なるように配設され、
Ｃ光源を用いて前記第１部分及び前記第２部分のそれぞれに対して光を一回通過させてそれぞれの分光透過率曲線を描いた場合に、４００ｎｍ≦波長λ≦５００ｎｍ又は６００ｎｍ≦波長λ≦７００ｎｍにおいて前記分光透過率曲線の各々の積分値を求めると、前記第２部分に対応する前記積分値は、前記第１部分に対応する前記積分値よりも大きいことを特徴とするカラーフィルタ基板。
【請求項７】
透過部と反射部とが規定されたカラーフィルタ基板において、
第１部分及び第２部分を含む着色層を有し、
前記着色層は、４００ｎｍ≦波長λ＜５００ｎｍにおいて透過率のピークを有し、
前記着色層の前記第１部分は、対応する前記透過部に平面的に重なるように配設され、
前記着色層の前記第２部分は、対応する前記反射部に平面的に重なるように配設され、
Ｃ光源を用いて前記第１部分及び前記第２部分のそれぞれに対して光を一回通過させてそれぞれの分光透過率曲線を描いた場合に、５００ｎｍ≦波長λ≦７００ｎｍにおいて前記分光透過率曲線の各々の積分値を求めると、前記第２部分に対応する前記積分値は、前記第１部分に対応する前記積分値よりも大きいことを特徴とするカラーフィルタ基板。
【請求項８】
透過部と反射部とが規定されたカラーフィルタ基板において、
第１部分及び第２部分を含む着色層を有し、
前記着色層は、波長λ＞６００ｎｍにおいて透過率のピークを有し、
前記着色層の前記第１部分は、対応する前記透過部に平面的に重なるように配設され、
前記着色層の前記第２部分は、対応する前記反射部に平面的に重なるように配設され、
Ｃ光源を用いて前記第１部分及び前記第２部分のそれぞれに対して光を一回通過させてそれぞれの分光透過率曲線を描いた場合に、４００ｎｍ≦波長λ≦６００ｎｍにおいて前記分光透過率曲線の各々の平均透過率を求めると、前記第２部分に対応する前記平均透過率は、前記第１部分に対応する前記平均透過率よりも大きいことを特徴とするカラーフィルタ基板。
【請求項９】
透過部と反射部とが規定されたカラーフィルタ基板において、
第１部分及び第２部分を含む着色層を有し、
前記着色層は、５００ｎｍ＜波長λ＜６００ｎｍにおいて透過率のピークを有し、
前記着色層の前記第１部分は、対応する前記透過部に平面的に重なるように配設され、
前記着色層の前記第２部分は、対応する前記反射部に平面的に重なるように配設され、
Ｃ光源を用いて前記第１部分及び前記第２部分のそれぞれに対して光を一回通過させてそれぞれの分光透過率曲線を描いた場合に、４００ｎｍ≦波長λ≦５００ｎｍ又は波長６００ｎｍ≦波長λ≦７００ｎｍにおいて前記分光透過率曲線の各々の平均透過率を求めると、前記第２部分に対応する前記平均透過率は、前記第１部分に対応する前記平均透過率よりも大きいことを特徴とするカラーフィルタ基板。
【請求項１０】
透過部と反射部とが規定されたカラーフィルタ基板において、
第１部分及び第２部分を含む着色層を有し、
前記着色層は、４００ｎｍ≦波長λ＜５００ｎｍにおいて透過率のピークを有し、
前記着色層の前記第１部分は、対応する前記透過部に平面的に重なるように配設され、
前記着色層の前記第２部分は、対応する前記反射部に平面的に重なるように配設され、
Ｃ光源を用いて前記第１部分及び前記第２部分のそれぞれに対して光を一回通過させてそれぞれの分光透過率曲線を描いた場合に、５００ｎｍ≦波長λ≦７００ｎｍにおいて前記分光透過率曲線の各々の平均透過率を求めると、前記第２部分に対応する前記平均透過率は、前記第１部分に対応する前記平均透過率よりも大きいことを特徴とするカラーフィルタ基板。
【請求項１１】
前記反射部には、光を反射する反射層が設けられていることを特徴とする請求項１〜１０のいずれかに記載のカラーフィルタ基板。
【請求項１２】
一対の基板の間に液晶を挟持する電気光学装置において、
前記一対の基板のうち一方の基板には、前記反射部に対応して光を反射する反射層が設けられており、
前記一対の基板のうち他方の基板が、請求項１〜１０のいずれかに記載のカラーフィルタ基板であることを特徴とする電気光学装置。
【請求項１３】
一対の基板の間に液晶を挟持する電気光学装置において、
前記一対の基板のうちいずれか一方の基板が、請求項１１に記載のカラーフィルタ基板であることを特徴とする電気光学装置。
【請求項１４】
一対の基板を有する電気光学装置において、
前記一対の基板のうち一方の基板には、実質的に光が透過可能な透過部と光を反射する反射層が設けられた反射部とが規定されており、
前記一対の基板のうちいずれか一方の基板には、第１部分及び第２部分を含む着色層を有し、
前記第１部分は、前記透過部に平面的に重なり、
前記第２部分は、前記反射部に平面的に重なり、
Ｃ光源を用いて前記第１部分及び前記第２部分のそれぞれに対して光を一回通過させてそれぞれの分光透過率曲線を描いた場合に、可視光域において前記分光透過率曲線の各々に対して下限値からピーク値の半値に対応する半値幅を求めると、前記第２部分に対応する前記半値幅は前記第１部分に対応する前記半値幅よりも大きいことを特徴とする電気光学装置。
【請求項１５】
請求項１２〜１４のいずれかに記載された電気光学装置を備えてなることを特徴とする電子機器。
【手続補正３】
【補正対象書類名】明細書
【補正対象項目名】００１３
【補正方法】変更
【補正の内容】
【００１３】
【課題を解決するための手段】
上述の目的を達成するために、本発明のカラーフィルタ基板は、透過部と反射部とが規定されたカラーフィルタ基板において、各々色が異なる、少なくとも第１、第２及び第３の着色層を有し、各前記着色層は、第１部分及び第２部分を含み、各前記着色層の前記第１部分は、対応する前記透過部に平面的に重なるように配設され、各前記着色層の前記第２部分は、対応する前記反射部に平面的に重なるように配設され、Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、各前記着色層の前記第２部分の前記色度座標を頂点とする三角形の面積の１．１倍以上６．０倍以下であることを特徴とする。
【手続補正４】
【補正対象書類名】明細書
【補正対象項目名】００１４
【補正方法】変更
【補正の内容】
【００１４】
また、本発明のカラーフィルタ基板は、透過部と反射部とが規定されたカラーフィルタ基板において、各々色が異なる少なくとも第１、第２及び第３の着色層を有し、各前記着色層は、第１部分及び第２部分を含み、各前記着色層の前記第１部分は、対応する前記透過部に平面的に重なるように配設され、各前記着色層の前記第２部分は、対応する前記反射部に平面的に重なるように配設され、Ｃ光源を用いて各前記着色層に光を一回通過させて、前記着色層の色度座標を算出し、ＣＩＥ１９３１色度図上にプロットした場合に、各前記着色層の前記第１部分の前記色度座標を頂点とする三角形の面積は、ＮＴＳＣ受像３原色を頂点とする三角形の面積の０．２５倍以上０．３８倍以下であり、各前記着色層の前記第２部分の前記色度座標を頂点とする三角形の面積は、ＮＴＳＣ受像３原色を頂点とする三角形の面積の０．０６倍以上０．１３倍以下であることを特徴とする。
【手続補正５】
【補正対象書類名】明細書
【補正対象項目名】００１５
【補正方法】変更
【補正の内容】
【００１５】
また、本発明のカラーフィルタ基板は、透過部と反射部とが規定されたカラーフィルタ基板において、第１部分及び第２部分を含む着色層を有し、前記着色層は、５００ｎｍ＜波長λ＜６００ｎｍにおいて透過率のピークを有し、各前記着色層の前記第１部分は、対応する前記透過部に平面的に重なるように配設され、各前記着色層の前記第２部分は、対応する前記反射部に平面的に重なるように配設され、Ｃ光源を用いて前記第１部分及び前記第２部分のそれぞれに対して光を一回通過させてそれぞれの分光透過率曲線を描いた場合に、可視光域において前記分光透過率曲線の各々に対して下限値からピーク値の半値に対応する半値幅を求めると、前記第１部分に対応する前記半値幅は、１１０ｎｍ〜１２５ｎｍであり、前記第２部分に対応する前記半値幅は、１３５ｎｍ〜１５０ｎｍであることを特徴とする。
【手続補正６】
【補正対象書類名】明細書
【補正対象項目名】００１６
【補正方法】変更
【補正の内容】
【００１６】
また、本発明のカラーフィルタ基板は、透過部と反射部とが規定されたカラーフィルタ基板において、各々色が異なる、少なくとも第１、第２及び第３の着色層を有し、各前記着色層は、第１部分及び第２部分を含み、各前記着色層の前記第１部分は、対応する前記透過部に平面的に重なり、各前記着色層の前記第２部分は、対応する前記反射部に平面的に重なり、Ｃ光源を用いて各前記着色層に光を一回通過させて、前記着色層の色度座標を算出し、ＣＩＥ１９３１色度図上にプロットした場合に、前記第１の着色層の前記第１部分の色度座標は、ｘ１＝０．５４、ｙ１＝０．３４とし、（ｘ−ｘ１）２＋（ｙ−ｙ１）２≦（０．０５）２で表される領域に位置し、前記第２の着色層の前記第１部分の色度座標は、ｘ２＝０．３１、ｙ２＝０．４９とし、（ｘ−ｘ２）２＋（ｙ−ｙ２）２≦（０．０５）２で表される領域に位置し、前記第３の着色層の前記第１部分の色度座標は、ｘ３＝０．１５、ｙ３＝０．１９とし、（ｘ−ｘ３）２＋（ｙ−ｙ３）２≦（０．０５）２で表される領域に位置し、前記第１の着色層の前記第２部分の色度座標は、ｘ１＝０．４２、ｙ１＝０．３０とし、（ｘ−ｘ１）２＋（ｙ−ｙ１）２≦（０．０５）２で表される領域に位置し、前記第２の着色層の前記第２部分の色度座標は、ｘ２＝０．３１、ｙ２＝０．３５とし、（ｘ−ｘ２）２＋（ｙ−ｙ２）２≦（０．０５）２で表される領域に位置し、前記第３の着色層の前記第２部分の色度座標は、ｘ３＝０．２０、ｙ３＝０．２４とし、（ｘ−ｘ３）２＋（ｙ−ｙ３）２≦（０．０５）２で表される領域に位置することを特徴とする。
【手続補正７】
【補正対象書類名】明細書
【補正対象項目名】００１７
【補正方法】変更
【補正の内容】
【００１７】
また、本発明のカラーフィルタ基板は、透過部と反射部とが規定されたカラーフィルタ基板において、第１部分及び第２部分を含む着色層を有し、前記着色層は、波長λ＞６００ｎｍにおいて透過率のピークを有し、前記着色層の前記第１部分は、対応する前記透過部に平面的に重なるように配設され、前記着色層の前記第２部分は、対応する前記反射部に平面的に重なるように配設され、Ｃ光源を用いて前記第１部分及び前記第２部分のそれぞれに対して光を一回通過させてそれぞれの分光透過率曲線を描いた場合に、４００ｎｍ≦波長λ≦６００ｎｍにおいて前記分光透過率曲線の各々の積分値を求めると、前記第２部分に対応する前記積分値は、前記第１部分に対応する前記積分値よりも大きいことを特徴とする。
【手続補正８】
【補正対象書類名】明細書
【補正対象項目名】００１８
【補正方法】変更
【補正の内容】
【００１８】
また、本発明のカラーフィルタ基板は、透過部と反射部とが規定されたカラーフィルタ基板において、第１部分及び第２部分を含む着色層を有し、前記着色層は、５００ｎｍ＜波長λ＜６００ｎｍにおいて透過率のピークを有し、前記着色層の前記第１部分は、対応する前記透過部に平面的に重なるように配設され、前記着色層の前記第２部分は、対応する前記反射部に平面的に重なるように配設され、Ｃ光源を用いて前記第１部分及び前記第２部分のそれぞれに対して光を一回通過させてそれぞれの分光透過率曲線を描いた場合に、４００ｎｍ≦波長λ≦５００ｎｍ又は６００ｎｍ≦波長λ≦７００ｎｍにおいて前記分光透過率曲線の各々の積分値を求めると、前記第２部分に対応する前記積分値は、前記第１部分に対応する前記積分値よりも大きいことを特徴とする。
【手続補正９】
【補正対象書類名】明細書
【補正対象項目名】００１９
【補正方法】変更
【補正の内容】
【００１９】
また、本発明のカラーフィルタ基板は、透過部と反射部とが規定されたカラーフィルタ基板において、第１部分及び第２部分を含む着色層を有し、前記着色層は、４００ｎｍ≦波長λ＜５００ｎｍにおいて透過率のピークを有し、前記着色層の前記第１部分は、対応する前記透過部に平面的に重なるように配設され、前記着色層の前記第２部分は、対応する前記反射部に平面的に重なるように配設され、Ｃ光源を用いて前記第１部分及び前記第２部分のそれぞれに対して光を一回通過させてそれぞれの分光透過率曲線を描いた場合に、５００ｎｍ≦波長λ≦７００ｎｍにおいて前記分光透過率曲線の各々の積分値を求めると、前記第２部分に対応する前記積分値は、前記第１部分に対応する前記積分値よりも大きいことを特徴とする。
【手続補正１０】
【補正対象書類名】明細書
【補正対象項目名】００２０
【補正方法】変更
【補正の内容】
【００２０】
また、本発明のカラーフィルタ基板は、透過部と反射部とが規定されたカラーフィルタ基板において、第１部分及び第２部分を含む着色層を有し、前記着色層は、波長λ＞６００ｎｍにおいて透過率のピークを有し、前記着色層の前記第１部分は、対応する前記透過部に平面的に重なるように配設され、前記着色層の前記第２部分は、対応する前記反射部に平面的に重なるように配設され、Ｃ光源を用いて前記第１部分及び前記第２部分のそれぞれに対して光を一回通過させてそれぞれの分光透過率曲線を描いた場合に、４００ｎｍ≦波長λ≦６００ｎｍにおいて前記分光透過率曲線の各々の平均透過率を求めると、前記第２部分に対応する前記平均透過率は、前記第１部分に対応する前記平均透過率よりも大きいことを特徴とする。
【手続補正１１】
【補正対象書類名】明細書
【補正対象項目名】００２１
【補正方法】変更
【補正の内容】
【００２１】
また、本発明のカラーフィルタ基板は、透過部と反射部とが規定されたカラーフィルタ基板において、第１部分及び第２部分を含む着色層を有し、前記着色層は、５００ｎｍ＜波長λ＜６００ｎｍにおいて透過率のピークを有し、前記着色層の前記第１部分は、対応する前記透過部に平面的に重なるように配設され、前記着色層の前記第２部分は、対応する前記反射部に平面的に重なるように配設され、Ｃ光源を用いて前記第１部分及び前記第２部分のそれぞれに対して光を一回通過させてそれぞれの分光透過率曲線を描いた場合に、４００ｎｍ≦波長λ≦５００ｎｍ又は波長６００ｎｍ≦波長λ≦７００ｎｍにおいて前記分光透過率曲線の各々の平均透過率を求めると、前記第２部分に対応する前記平均透過率は、前記第１部分に対応する前記平均透過率よりも大きいことを特徴とする。
【手続補正１２】
【補正対象書類名】明細書
【補正対象項目名】００２２
【補正方法】変更
【補正の内容】
【００２２】
また、本発明のカラーフィルタ基板は、透過部と反射部とが規定されたカラーフィルタ基板において、第１部分及び第２部分を含む着色層を有し、前記着色層は、４００ｎｍ≦波長λ＜５００ｎｍにおいて透過率のピークを有し、前記着色層の前記第１部分は、対応する前記透過部に平面的に重なるように配設され、前記着色層の前記第２部分は、対応する前記反射部に平面的に重なるように配設され、Ｃ光源を用いて前記第１部分及び前記第２部分のそれぞれに対して光を一回通過させてそれぞれの分光透過率曲線を描いた場合に、５００ｎｍ≦波長λ≦７００ｎｍにおいて前記分光透過率曲線の各々の平均透過率を求めると、前記第２部分に対応する前記平均透過率は、前記第１部分に対応する前記平均透過率よりも大きいことを特徴とする。
【手続補正１３】
【補正対象書類名】明細書
【補正対象項目名】００４４
【補正方法】変更
【補正の内容】
【００４４】
また、本発明の電気光学装置は、一対の基板を有する電気光学装置において、前記一対の基板のうち一方の基板には、実質的に光が透過可能な透過部と光を反射する反射層が設けられた反射部とが規定されており、前記一対の基板のうちいずれか一方の基板には、第１部分及び第２部分を含む着色層を有し、前記第１部分は、前記透過部に平面的に重なり、前記第２部分は、前記反射部に平面的に重なり、Ｃ光源を用いて前記第１部分及び前記第２部分のそれぞれに対して光を一回通過させてそれぞれの分光透過率曲線を描いた場合に、可視光域において前記分光透過率曲線の各々に対して下限値からピーク値の半値に対応する半値幅を求めると、前記第２部分に対応する前記半値幅は前記第１部分に対応する前記半値幅よりも大きいことを特徴とする。